(57)【特許請求の範囲】
【請求項１】
筒状の粘着トラップと、前記粘着トラップを外周囲で支持する筒状支持体と、を有する飛翔性害虫捕獲装置であって、
前記粘着トラップは、透明材シートの外表面に粘着性材料が塗布された粘着シートの両側端縁が結合されて筒状に形成されたものからなり、
前記筒状支持体は、外表面が光吸収性の高い色に着色されているとともに、前記外周囲の一部に弾力性及び復元性を有する弾性突起片が設けられており、
前記筒状支持体に前記粘着トラップが被せられて前記筒状支持体の外表面の着色色が前記粘着シートから透過されており、
前記筒状支持体の前記弾性突起片の復元性により前記粘着シートの内面が前記筒状支持体の外周囲に密接されていることを特徴とする飛翔性害虫捕獲装置。
【請求項２】
透明材シートの外表面に粘着性材料が塗布された粘着シートの両側端縁が結合されて筒状に形成された粘着トラップと、
ベース盤と、
外表面が光吸収性の高い色に着色されているとともに、一側下部を前記ベース盤に固定可能で他側を自由端となるように形成された、湾曲性及び復元性を有する略矩形上の弾性シートとからなり、
前記弾性シートの一側を前記ベース盤に固定して着色側が外側となるように他側を渦巻き状にすることで筒状支持体を形成し、
前記筒状支持体の直径を縮小した後に、前記粘着トラップを前記筒状支持体に被せ、前記筒状支持体の渦巻き部分の復元性により、前記粘着トラップの内面が前記筒状支持体の外面に密着して前記筒状支持体の外表面の着色色が前記粘着シートから透過するようにしたことを特徴とする飛翔性害虫捕獲装置。
【請求項３】
前記ベース盤の径は、前記巻き込み筒状体の径よりも大きくされていることを特徴とする請求項２に記載の飛翔性害虫捕獲装置。
【請求項４】
前記筒状支持体は、その体積をＸとしたときに、前記Ｘは、１．０００ｍ３≧Ｘ≧０．００３ｍ３であることを特徴とする請求項１〜３のいずれかに記載の飛翔性害虫捕獲装置。
【請求項５】
前記筒状支持体は、所定高さに直立される筒状部を有し、
前記筒状部は、下部に外周から外方へ突出する鍔部及び前記鍔部の上方に設けたストッパー部を有し、
前記粘着トラップは、前記筒状支持体の前記鍔部又はストッパー部のいずれかで位置決めされることを特徴とする請求項１〜４のいずれかに記載の飛翔性害虫捕獲装置。
【請求項６】
前記ストッパー部は、前記筒状部の一部を切り起した舌片で形成されていることを特徴とする請求項５に記載の飛翔性害虫捕獲装置。
【請求項７】
前記筒状支持体は、外表面が複数色の前記光吸収性の高い色によって、斑点状、縞模様状又は網目状に、色分けして又は複数色の色分け部分の境目がぼかされた状態に着色されていることを特徴とする請求項１〜６のいずれかに記載の飛翔性害虫捕獲装置。
【請求項８】
前記筒状支持体は、外表面が前記光吸収性の高い色が土台となり光吸収性の低い色が斑点状、縞模様状又は網目状に、色分けして又は色分け部分の境目がぼかされた状態に着色されていることを特徴とする請求項１〜６のいずれかに記載の飛翔性害虫捕獲装置。
【請求項９】
前記光吸収性の低い色は白色又は灰色であることを特徴とする請求項８に記載の飛翔性害虫捕獲装置。
【請求項１０】
前記筒状支持体の外表面において、前記光吸収性の低い色の占める割合は面積比で１０％以上５０％以下であることを特徴とする請求項８又は９に記載の飛翔性害虫捕獲装置。
【請求項１１】
前記光吸収性の高い色は、黒色、濃紺色、紺色、深緑色、濃茶色、茶色又は暗灰色のいずれか又はこれらの組み合わせであることを特徴とする請求項１〜１０のいずれかに記載の飛翔性害虫捕獲装置。
【請求項１２】
前記光吸収性の高い色に着色されている外表面は光沢を有さない光散乱性表面とされていることを特徴とする請求項１〜１１のいずれかに記載の飛翔性害虫捕獲装置。
【請求項１３】
前記筒状支持体は一枚のシート材で形成されたものであることを特徴とする請求項１〜１２のいずれかに記載の飛翔性害虫捕獲装置。
【請求項１４】
前記粘着トラップは、前記粘着シートの両端縁が引き剥し又は引裂き可能な結合手により連結されていることを特徴とする請求項１〜１３のいずれかに記載の飛翔性害虫捕獲装置。
【請求項１５】
前記粘着トラップは、前記透明シートの粘着性材料が塗布された面に剥離シートが貼付されていることを特徴とする請求項１〜１４のいずれかに記載の飛翔性害虫捕獲装置。
【発明の詳細な説明】
【技術分野】
【０００１】
この発明は、飛翔性害虫捕獲装置に係り、さらに詳しくは家畜などに群がる害虫を捕獲するのに好適な飛翔性害虫捕獲装置に関する。
【背景技術】
【０００２】
牛や豚等の家畜は、牛舎等の家畜場で飼育されている。この家畜場は、人間の家屋と違い、密閉されていないため、隙間があいているものが多い。そのため、家畜を刺し、或いは糞にたかったりするハエや蚊等の空中を飛翔する害虫が侵入する。この飛翔性害虫、例えばサシバエが家畜を刺すと、家畜がストレスを受けて品質を落とし、酪農業者などに経済的な打撃を与えることがある。すなわち、サシバエは、特に牛を好み、牛を刺そうとして牛を追い回すと、牛はそれを避けようとして互いに集合しあい、餌箱から遠ざかるようになる。その結果、乳量が数％（例えば５％）から十数％（例えば２０％）の低下及び体重、体力の低下を招くともいわれている。
また、飛翔性の害虫が飛び回ることで、伝染病の原因となるおそれもある。なお、害虫を駆除するために殺虫剤を用いることも考えられるが、家畜や人体に悪影響が出るので好ましくない。
【０００３】
このような飛翔性の害虫を捕獲するために、下記特許文献１には、飛翔性害虫を誘引するような形状、模様又はこれらの結合或いはこれらと色彩との結合が施されている飛翔性害虫捕獲用粘着シートの発明が開示されている。
【０００４】
また、下記特許文献２には、基板に容器の底部を画成するよう折線を形成し、該折線を介して前面部、後面部を設け、該折線を折曲げた際上記底部の上方に上記前面部と後面部が間隔をあけて対向すると共に上方に開口する開口部が形成されるよう上記前面部と後面部を折畳み可能に連結し、上記前面部の内側及び又は後面部の内側に捕虫用粘着剤層が形成され、内部に害虫誘引物体を収納し、また近傍に害虫を誘引する発光ダイオ−ド等の発光源を設けて害虫を捕獲するようにした害虫捕獲容器及びそれを用いた害虫捕獲装置の発明が開示されている。
【０００５】
上記特許文献１に開示されている発明では、飛翔性害虫を誘引するような模様等を施すことで、上記特許文献２に開示されている発明では、内部に害虫誘引物体を収納し、また近傍に害虫を誘引する発光ダイオ−ド等の発光源を設けたりすることで、効率的に害虫を誘引して捕獲することができる。
【０００６】
しかし、上記特許文献１に開示されている発明では、誘引する模様等が施されているのはシート状のものであり、飛翔性害虫、特に吸血性の飛翔性害虫が好む家畜の形状とは大きく異なるので、多くの飛翔性害虫を誘引することは困難である。また、上記特許文献２に開示されている発明では、飛翔性害虫を誘引する誘引剤や発光源を用いているが、やはり、多くの飛翔性害虫を誘引することが困難である。
【０００７】
一方、下記特許文献３には、昆虫を捕獲するための立体形状で構成されたトラップの発明が開示されている。このトラップの立体形状は、単に捕獲する面積を増やしただけのものであるので、飛翔性害虫、特に吸血性の飛翔性害虫が好む家畜の形状とは異なるため、多くの飛翔性害虫を誘引することは困難である。
【０００８】
さらに、下記特許文献４には、害虫を外筒体の開口から内部に進入させ、捕獲筒体の粘着面に粘着・捕獲し駆除する害虫捕獲具の発明が開示されている。しかし、この害虫捕獲具は、構造上、外筒体が害虫の旋回の障害となり、捕獲効率が悪く、捕獲筒体を有効に利用できないなどの課題が存在している。
【０００９】
これらの従来技術の問題点を解決するものとして、下記特許文献５には、立体形状を有する駆除装置本体と、駆除装置本体を覆う外表面に粘着性材料が設けられた被覆シートと、を有する飛翔性害虫駆除装置の発明が開示されている。この飛翔性害虫駆除装置では、被覆シートは光吸収性の高い色とされ、駆除装置本体は曲面、又は、曲面と平面の組み合わせ、又は、隣接する面同士が平行でない少なくとも２面以上の平面のいずれかの形状で構成されている。
【先行技術文献】
【特許文献】
【００１０】
【特許文献１】特開２００２−０８４９５８号公報
【特許文献２】特開２００３−１８０２２１号公報
【特許文献３】米国デザイン特許第４９８８１２号公報
【特許文献４】特開２０００―８３５５３号公報
【特許文献５】特開２０１３−１５３６６９号公報
【発明の概要】
【発明が解決しようとする課題】
【００１１】
上記特許文献５に開示されている飛翔性害虫駆除装置の発明によれば、駆除装置本体の形状を家畜の形状に似させることができるとともに、被覆シートの色が特に吸血性の飛翔性害虫が好む色となっているので、多くの飛翔性害虫を誘引することができる。しかしながら、この飛翔性害虫駆除装置の発明では、長方状の被覆シートを立体形状とされている駆除装置本体の外周に巻いた後、被覆シートの一端に設けた差込部を他端に設けた差込穴に差し込み、そして、被覆シートの被膜シートを取り外して粘着部を露出させ、差込部を粘着部に貼ることによって被覆シートで駆除装置本体を覆うように取り付けるようにしている。このために、このような取り付け方法では、手間がかかるとともに、被覆シートの交換を容易に行うことができないという課題が存在している。
【００１２】
また、被覆シートの交換の際、差込部を剥がさなければならないが、上記方法では粘着部に手が触れてしまい非常に作業効率が悪いと共に捕獲した飛翔性害虫を触る可能性も高く、作業者には険悪感を与えてしまうという課題もあった。さらに、この飛翔性害虫駆除装置の発明は、被覆シートは吸血性の飛翔性害虫が好む色に着色されているので、被覆シートが高価にあり装置のコストを低減できない課題がある。
【００１３】
加えて、この飛翔性害虫駆除装置の発明は、被覆シートに飛翔性害虫が全体に万遍なく付着・捕獲されず、その捕獲量が被覆シートの粘着エリアによって違うことが分かった。例えば、サシバエは、特に牛を好んで吸血する飛翔性害虫であるが、通常は、牛舎周辺の草むらや木陰で休息しており、吸血のために牛に近づく際にこの休息場所から飛び出して、地上の比較的低い空間を飛翔して、牛の尻、股及び乳の部分を旋回して、これらの部分を刺す習性をもっている。このサシバエを捕獲するために、地上に飛翔性害虫駆除装置を仕掛けると、サシバエの習性から被覆シートの粘着エリアによって捕獲量が多い粘着エリア、少ない粘着エリアに分かれて被覆シートの全体に万遍なく付着・捕獲されないが判明した。
【００１４】
この飛翔性害虫駆除装置では、被覆シートは粘着エリアによって捕獲量が多くなることや少なくなることは止むを得ないものとして、使用後は、そのまま廃棄することが行われている。しかしながら、この状態で廃棄すると被覆シートの有効利用とならず、資源の無駄になってしまう課題も存在することが分った。
【００１５】
本発明は、上記従来技術が抱えている課題を解決するためになされたもので、本発明の目的は、装着及び脱着が容易な粘着トラップ及び低コストで軽量な筒状支持体を備えた飛翔性害虫捕獲装置を提供することある。また、本発明の他の目的は、飛翔性害虫を効率よく誘引することができ、且つ粘着トラップの有効利用ができて、資源の無駄を無くした飛翔性害虫捕獲装置を提供することにある。
【課題を解決するための手段】
【００１６】
本発明の第１の態様の飛翔性害虫捕獲装置は、
筒状の粘着トラップと、前記粘着トラップを外周囲で支持する筒状支持体と、を有する飛翔性害虫捕獲装置であって、前記粘着トラップは、透明材シートの外表面に粘着性材料が塗布された粘着シートの両側端縁が結合されて筒状に形成されたものからなり、前記筒状支持体は、外表面が光吸収性の高い色に着色されているとともに、前記外周囲の一部に弾力性及び復元性を有する弾性突起片が設けられており、前記筒状支持体に前記粘着トラップが被せられて前記筒状支持体の外表面の着色色が前記粘着シートから透過されており、前記筒状支持体の前記弾性突起片の復元性により前記粘着シートの内面が前記筒状支持体の外周囲に密接されていることを特徴とする。
【００１７】
本発明の第２の態様の飛翔性害虫捕獲装置は、透明材シートの外表面に粘着性材料が塗布された粘着シートの両側端縁が結合されて筒状に形成された粘着トラップと、ベース盤と、外表面が光吸収性の高い色に着色されているとともに、一側下部を前記ベース盤に固定可能で他側を自由端となるように形成された、湾曲性及び復元性を有する略矩形上の弾性シートとからなり、前記弾性シートの一側を前記ベース盤に固定して着色側が外側となるように他側を渦巻き状にすることで筒状支持体を形成し、前記筒状支持体の直径を縮小した後に、前記粘着トラップを前記筒状支持体に被せ、前記筒状支持体の渦巻き部分の復元性により、前記粘着トラップの内面が前記筒状支持体の外面に密着して前記筒状支持体の外表面の着色色が前記粘着シートから透過するようにしたことを特徴とする。
【００１８】
本発明の第３の態様の飛翔性害虫捕獲装置は、第２の態様の飛翔性害虫捕獲装置において、前記ベース盤の径は、前記巻き込み筒状体の径よりも大きくされていることを特徴とする。
【００１９】
本発明の第４の態様の飛翔性害虫捕獲装置は、第１〜３のいずれかの態様の飛翔性害虫捕獲装置において、前記筒状支持体は、その体積をＸとしたときに、前記Ｘは、１．０００ｍ３≧Ｘ≧０．００３ｍ３であることを特徴とする。
【００２０】
本発明の第５の態様の飛翔性害虫捕獲装置は、第１〜４のいずれかの態様の飛翔性害虫捕獲装置において、前記筒状支持体は、所定高さに直立される筒状部を有し、前記筒状部は、下部に外周から外方へ突出する鍔部及び前記鍔部の上方に設けたストッパー部を有し、前記粘着トラップは、前記筒状支持体の前記鍔部又はストッパー部のいずれかで位置決されることを特徴とする。
【００２１】
本発明の第６の態様の飛翔性害虫捕獲装置は、第５の態様の飛翔性害虫捕獲装置おいて、前記ストッパー部は、前記筒状部の一部を切り起した舌片で形成されていることを特徴とする。
【００２２】
本発明の第７の態様の飛翔性害虫捕獲装置は、第１〜６のいずれかの態様の飛翔性害虫捕獲装置において、前記筒状支持体は、外表面が複数色の前記光吸収性の高い色によって、斑点状、縞模様状又は網目状に、色分けして又は複数色の色分け部分の境目がぼかされた状態に着色されていることを特徴とする。
【００２３】
本発明の第８の態様の飛翔性害虫捕獲装置は、第１〜６のいずれかの態様の飛翔性害虫捕獲装置において、前記筒状支持体は、外表面が前記光吸収性の高い色に光吸収性の低い色が斑点状、縞模様状又は網目状に、色分けして又は色分け部分の境目がぼかされた状態に着色されていることを特徴とする。
【００２４】
本発明の第９の態様の飛翔性害虫捕獲装置は、第８の態様の飛翔性害虫捕獲装置において、前記光吸収性の低い色は白色又は灰色であることを特徴とする。
【００２５】
本発明の第１０の態様の飛翔性害虫捕獲装置は、第８又は９の態様の飛翔性害虫捕獲装置において、前記筒状支持体の外表面において、前記光吸収性の低い色の占める割合は、面積比で１０％以上５０％以下であることを特徴とする。
【００２６】
本発明の第１１の態様の飛翔性害虫捕獲装置は、第１〜１０のいずれかの態様の飛翔性害虫捕獲装置において、前記光吸収性の高い色は、黒色、濃紺色、紺色、深緑色、濃茶色、茶色又は暗灰色のいずれか又はこれらの組み合わせであることを特徴とする。
【００２７】
本発明の第１２の態様の飛翔性害虫捕獲装置は、第１〜１１のいずれかの態様の飛翔性害虫捕獲装置において、前記光吸収性の高い色に着色されている外表面は光沢を有さない光散乱性表面とされていることを特徴とする。
【００２８】
本発明の第１３の態様の飛翔性害虫捕獲装置は、第１〜１２のいずれかの態様の飛翔性害虫捕獲装置において、前記筒状支持体は一枚のシート材で形成されたものであることを特徴とする。
【００２９】
本発明の第１４の態様の飛翔性害虫捕獲装置は、第１〜１３のいずれかの態様の飛翔性害虫捕獲装置において、前記粘着トラップは、前記粘着シートの両端縁が引き剥し又は引裂き可能な結合手により連結されていることを特徴とする。
【００３０】
本発明の第１５の態様の飛翔性害虫捕獲装置は、第１〜１４のいずれかの態様の飛翔性害虫捕獲装置において、前記粘着トラップは、前記透明シートの粘着性材料が塗布された面に剥離シートが貼付されていることを特徴とする。
【発明の効果】
【００３１】
本発明の第１の形態の飛翔性害虫捕獲装置によれば、粘着トラップと所定形状の筒状支持体とにより、飛翔性害虫を効率よく誘引し、捕獲できる。また、筒状支持体は光吸収性の高い色に着色されているので、粘着シートに透明材シートの使用が可能になり、装置コストを低減できる。すなわち、透明材シートは着色材シートに比べて安価で容易に入手できるので、粘着トラップのコストを低減できる。加えて、本発明の第１の形態の飛翔性害虫捕獲装置によれば、弾性突起片により粘着シートの内面が前記筒状支持体の外周囲に密接されるので、筒状支持体の着色色が粘着シートから確実に透過されるようになる。
【００３２】
本発明の第２の形態の飛翔性害虫捕獲装置によれば、飛翔性害虫捕獲装置を使用しない場合にはベース盤及び筒状支持体となる弾性シートが分離した状態でそれぞれ個別に折り曲げることができるために嵩張らず、しかも粘着シートが折り畳み可能であることと相まって、流通、運搬等が容易になり、飛翔性害虫捕獲装置を使用する場合には容易に組み立てができる。また、筒状支持体は、湾曲性及び復元性を有する弾性シート材が渦巻き状に巻回された巻き込み筒状体で形成されているので、筒状支持体をさらに低コストにできる。
【００３３】
本発明の第３の形態の飛翔性害虫捕獲装置によれば、弾性シートによって筒状支持体を形成して容易にベース盤に取り付けることができるようになる。
【００３４】
本発明の第４の形態の飛翔性害虫捕獲装置によれば、飛翔性害虫捕獲装置を家畜の大きさにより近づけることができるので、より多くの害虫を捕獲することができるようになる。また、筒状支持体の体積Ｘが１．０００ｍ３を越えるほど大きすぎると運搬が困難となり、体積Ｘが０．００３ｍ３未満と小さすぎると配置する個数が多くなるので好ましくない。
【００３５】
本発明の第５の形態の飛翔性害虫捕獲装置によれば、粘着トラップを筒状支持体の鍔部又はストッパー部のいずれかで位置決め固定できるので、使用中に粘着トラップへの飛翔性害虫の捕獲状況を監視し、その状況に応じて粘着トラップを筒状支持体で上下動させて鍔部又はストッパー部のいずれかの位置決め固定することにより、粘着トラップに万遍なく飛翔性害虫を捕獲できるようになり、粘着トラップの有効利用が図られて無駄を無くすることができる。
【００３６】
本発明の第６の形態の飛翔性害虫捕獲装置によれば、ストッパー部を簡単に形成できる。
【００３７】
本発明の第７〜１０のいずれかの態様の飛翔性害虫捕獲装置によれば、筒状支持体が単一色で着色されている場合よりも見た目をより家畜に似させることができるので、より多くの飛翔性害虫を捕獲することができるようになる。特に、光吸収性の高い色が土台となるようにして光吸収性の低い色とを組み合わせた場合には、光吸収性の低い色の占める割合は面積比で１０％以上５０％以下とすると飛翔性害虫の捕獲効率が良好になる。この場合において、光吸収性の低い色の占める割合が面積比で１０％未満となると光吸収性の低い色の占める割合が小さすぎて光吸収性の高い色に対して光吸収性の低い色を組み合わせたことの効果が小さくなり、また、光吸収性の低い色の占める割合が面積比で５０％を越えると光吸収性の低い色の占める割合が大きすぎて光吸収性の高い色を用いることの効果が小さくなり、いずれのばあいも飛翔性害虫の捕獲効率が低下する。
【００３８】
本発明の第１１又は１２の形態の飛翔性害虫捕獲装置によれば、見た目をより家畜に似させることができるので、より多くの害虫を捕獲することができるようになる。特に害虫が飛翔しながら、視覚により獲物を見極めるときに誘引し捕獲することを容易にする。このとき、被覆部材の最適色は光吸収性が可視光中最大である黒色であり、適色としては光吸収性の高い黒色に近い色、たとえば、濃紺色、紺色、深緑色、濃茶色、暗灰色等であることが好ましく、また、これらの色を組み合わせてもよい。さらに、光吸収性の高い色に着色されている外表面が光沢を有さない光散乱性表面となるようにすると、見た目をより家畜に似させることができるので、飛翔性害虫の捕獲効率が向上する。なお、このような光沢を有さない光散乱性表面は、外表面を例えば半つや以下（つや度が低い）のつや消し塗装によって光吸収性の高い色に着色することにより容易に得ることができる。
【００３９】
本発明の第１３の形態の飛翔性害虫捕獲装置によれば、筒状支持体の組み立てが容易となり、運搬時には、シート材の状態で運搬することができるために嵩張らず、複数個まとめて容易に運搬することができるようになる。
【００４０】
本発明の第１４の形態の飛翔性害虫捕獲装置によれば、使用済みになった粘着トラップを筒状支持体から簡単に取外すことができる。
【００４１】
本発明の第１５の形態の飛翔性害虫捕獲装置によれば、被覆シートを筒状支持体に被せる際には、剥離シートの両面の粘着性材料の表面は剥離シートで覆われているので、粘着性材料が周囲に付着することがなくなり、使用前の取り扱い、搬送及び設置も容易になる。また、設置後に外面側に設けられた剥離シートを取り外すことで、はじめて粘着性材料が外表面に現れるので、容易に飛翔性害虫を捕獲できる状態とすることができる。
【図面の簡単な説明】
【００４２】
【図１】本発明の実施形態１に係る飛翔性害虫捕獲装置の斜視図である。
【図２】図１の飛翔性害虫捕獲装置を構成する筒状支持体の斜視図である。
【図３】図２の筒状支持体の分解展開図である。
【図４】図４は飛翔性害虫捕獲装置を構成する粘着トラップを示し、図４は粘着トラップの斜視図、図４Ｂは図４Ａの変形例の粘着トラップの斜視図である。
【図５】本発明の実施形態２に係る飛翔性害虫捕獲装置の斜視図である。
【図６】図５の飛翔性害虫捕獲装置を構成する筒状支持体の斜視図である。
【図７】図５の筒状支持体の分解展開図である。
【図８】図５の筒状支持体を構成するベース盤の平面図である。
【図９】本発明の実施形態３に係る飛翔性害虫捕獲装置を構成する筒状支持体の分解展開図である。
【図１０】実施形態３、実施形態２及び比較例の飛翔性害虫捕獲装置を用いて飛翔性害虫の捕獲実験を行った状態を示す図である。
【図１１】実施形態３の飛翔性害虫捕獲装置を用いた場合の飛翔性害虫の捕獲状態を示す図である。
【図１２】比較例１の飛翔性害虫捕獲装置を用いた場合の飛翔性害虫の捕獲状態を示す図である。
【発明を実施するための形態】
【００４３】
以下、図面を参照して本発明の実施形態を説明する。ただし、以下に示す実施形態は、本発明の技術思想を具体化するための飛翔性害虫捕獲装置を例示するものであって、本発明をこれに特定することを意図するものではない。本発明は特許請求の範囲に含まれるその他の実施形態のものにも等しく適用し得るものである。
【００４４】
［実施形態１］
図１を参照して、本発明の実施形態に係る飛翔性害虫捕獲装置の概要を説明する。なお、図１は本発明の実施形態１に係る飛翔性害虫捕獲装置の斜視図である。
【００４５】
本発明の実施形態１に係る飛翔性害虫捕獲装置１０は、筒状の粘着トラップ１７と、この粘着トラップを外周囲で支持する筒状支持体１１と、を有し、粘着トラップ１７は、透明材シートの外表面に粘着性材料１９が塗布された粘着シート１８の両側端縁が結合されて筒状に形成されたものからなり、筒状支持体１１は、外表面が光吸収性の高い色に着色されて、筒状支持体１１に、粘着トラップ１７が被せられて、外表面の光吸収性の高い色が粘着シート１８から透過されて、この光吸収性の高い色及び筒状支持体の大きさによって害虫が誘引され、捕獲される構成となっている。
【００４６】
筒状支持体１１は、害虫が家畜と誤認する程度の大きさ、すなわち家畜に疑似した形状で害虫が家畜と誤認する大きさに形成されている。また、この飛翔性害虫捕獲装置１０は、使用前は粘着シート１８の粘着性材料１９が塗布された面が剥離シート２１で覆われ、使用時に剥離されるようになっている。
【００４７】
この飛翔性害虫捕獲装置１０によれば、粘着トラップと光吸収性の高い色及び筒状支持体の大きさにより、飛翔性害虫が効率よく誘引されて、捕獲、駆除ができる。また、筒状支持体は光吸収性の高い色に着色されているので、入手が容易で安価な透明材シートを用いて粘着トラップを作製でき、粘着トラップのコストを低減できる。すなわち、一般に透明材シートは着色材シートに比べて入手が容易で安価であるので、粘着トラップのコストを低減できる。この飛翔性害虫捕獲装置１０は、家畜を刺す害虫、例えばサシバエを捕獲、駆除するのに好適なものである。
【００４８】
以下、飛翔性害虫捕獲装置１０を構成する筒状支持体１１及び粘着トラップ１７を説明する。まず、図２、図３を参照して筒状支持体を説明する。なお、図２は飛翔性害虫捕獲装置を構成する筒状支持体の斜視図である。図３は図２の筒状支持体の分解展開図である。
【００４９】
筒状支持体１１は、図２に示したように、平面視で四角形状の筒状部１２と、筒状部１２の上端を覆う蓋部１３と、筒状部１２の下端を覆う底部１６と、を有し、筒状部１２の一側面に弾性突起片１２ａが設けられて、外表面が光吸収性の高い色、例えば黒色などで着色されている。また、底部１６は、実質的に四角形であり、筒状部１２の下端を覆っているが、一部において筒状部１２から外方にはみ出ており、このはみ出た部分が鍔部１６１となっている。ここでは鍔部１６１は４箇所に形成されている。
【００５０】
また、筒状部１２は、底部１６より高い位置に、一対のストッパー部１２ｂが形成されている。これらのストッパー部１２ｂは、筒状部１２の外周囲を一部切り起した舌片で形成されている。なお、ストッパー部はこの位置からさらに高い位置にも設けてもよい。これにより、粘着トラップは段階的に位置決め固定が可能になる。
【００５１】
筒状支持体１１は、その形状が家畜部位の形状、例えば牛の尻、股及び乳などの形状に擬似していることが好ましくい。その大きさは、例えば家畜の部位と誤認する程度の大きさの立体形状、すなわち、筒状支持体１１の体積をＸとしたとき、この体積が１．０００ｍ３≧Ｘ≧０．００３ｍ３程度とすると好ましい。なお、筒状支持体１１の体積が１．０００ｍ３より大きいと、運搬や設置、組み立てに多くの労力が必要となる。一方、筒状支持体１１の体積が０．００３ｍ３より小さいと捕獲する飛翔性害虫の量が少なくなり、多くの飛翔性害虫捕獲装置を設置する必要があり、また、製作費用も高くなるおそれがある。なお、このときの体積Ｘは、筒状支持体で形成される立体形状の内部空間のことをいう。
【００５２】
また、筒状支持体１１は、飛翔性害虫捕獲装置１０が屋外で使用されるものは、天候の変化に対応できる部材で形成されていることが好ましく、雨水に曝されても腐敗や錆が起こらないようなプラスチック材などで形成されるようにする。また、屋内で使用されるものでは、これらの材料のほかダンボール紙、画用紙などで形成することができる。
【００５３】
この筒状支持体１１は、ここでは所定形状に切り抜かれた一枚のシート材１１Ａを折り曲げて組み立てることにより作製される。このシート材１１Ａは、作製工程からして、ある程度の柔軟性が必要であり通常は上記した材料、例えばプラスチック製シート、ダンボール紙ないし画用紙が用いられる。
【００５４】
シート材１１Ａは、図３に示したように、外表面１２０が光吸収性の高い色、例えば黒色に着色されている。着色する理由は、上記特許文献５にも示唆されているように、飛翔性害虫の捕獲効率が向上するためである。なお、光吸収性の高い色としては、黒色だけでなく、濃紺色、紺色、深緑色、濃茶色、茶色、暗灰色などを採用することができ、またこれらの色を適宜に組み合わせたものとすることも可能である。これらの光吸収性の高い色を複数色組み合わせる場合は、斑点状、縞模様状又は網目状に、色分けして又は複数色の色分け部分の境目がぼかされた状態に着色されているものとしてもよい。
【００５５】
このシート材１１Ａは、折り曲げることにより平面視で四形状の筒状部１２となる４面分の筒状部形成部１２２〜１２５を有し、この筒状部形成部の一方の側端に細幅の糊代部１２１、他方の側端に弾性突起片１２ａとなる幅広の側面タブ１２６が設けられている。組立て時は、一方の糊代部１２１に接着剤が塗布されて、筒状部形成部１２５の裏面に貼付されて筒状部１２が形成される。他方の側面タブ１２６は、筒状部形成部１２５に連なっているので筒状部１２が形成されたときそのまま外方へ延びたフリー端縁となり弾性突起片１２ａを形成する。この筒状部１２に粘着トラップ１７を被せるときは、この側面タブ１２６、すなわち弾性突起片１２ａを押し倒して被せる。被せた後は、弾性突起片１２ａはその弾性により元に戻るので、筒状支持体１１の外周囲を粘着トラップ１７の内面に密接させることができる。
【００５６】
４面分の筒状部形成部１２２〜１２５は、下端側に、それぞれ鍔部１６１が形成される。これらの鍔部１６１は下端端縁の一部を半円形状に切り込んで、この切り込み片を図３の手前へ切り起したものとなっている。これらの鍔部は粘着トラップ１７が下方へずれ落ちないストッパーとなる。また、一対の対向する筒状部形成部１２２、１２４は、上端側に上蓋片１３ｂ、１３ｂ及び取っ手片１４ａ、１４ｂが、下端側に底蓋片１６ａ，１６ｃが設けられている。さらに、他の一対の対向する筒状部形成部１２３、１２３は、上端側に側留片１５ａ、１５ｂが、下端側に他の底蓋片１６ｂ、１６ｄが設けられている。
【００５７】
組立ての時に、上蓋片１３ｂ、１３ｂ及び取っ手片１４ａ、１４ｂにより、蓋部１３及び取っ手が形成され、また、底蓋片１６ａ〜１６ｄにより底部１６が形成される。また、これらの筒状部形成部１２３、１２３には鍔部１６１からの上端側にストッパー部１２ｂが設けられている。これらのストッパー部１２ｂは、筒状部１２の外周囲の一部切り起した舌片で形成されて、これらの切り起し舌片は切り起す際にできた切欠き穴に嵌り或いはこの穴から外方へ突出自在になっている。
【００５８】
筒状支持体１１の組立ては、まず、シート材１１Ａの４面分の筒状部形成部１２２〜１２５を着色面が外側になるように折り曲げ、一方の側面タブ１２１に接着剤を塗布し、筒状部形成部１２５の裏面に貼付して筒状部を形成する。これにより、他方の側面タブは、この筒状部の一面を構成する筒状部形成部１２２の折り曲げ箇所を基線にして外方、すなわち筒状部形成部１２２の外面から離れる方向へ弾性を持って自由に折れ曲がる弾性突起片１２ａとなる。この弾性突起片１２ａは、粘着トラップ１７の内面を筒状支持体１１の外周囲に密接させる働きをする。
【００５９】
シート材１１Ａの上端側に上蓋片１３ｂ、１３ｂ及び取っ手片１４ａ、１４ｂが、下端側に底蓋片１６ａ，１６ｃが設けられている。さらに、他の一対の対向する筒状部形成部１２３、１２３には、上端側に側留片１５ａ、１５ｂが、下端側に他の底蓋片１６ｂ、１６ｄが設けられている。組立ての時に、上蓋片１３ｂ、１３ｂ及び取っ手片１４ａ、１４ｂにより、蓋部１３及び取っ手が形成され、また、底蓋片１６ａ〜１６ｄにより底部１６が形成される。
【００６０】
上記実施形態の飛翔性害虫捕獲装置１０では、筒状支持体１１を一枚のシート材１１Ａを折り畳んで組み立てることにより作製した例を示したが、筒状部と蓋部及び底部は別体のものであってもよい。ただし、底部は、筒状部の下端を覆うとともに、少なくとも一部が筒状部の外周よりも外方へ突出して鍔部を形成しているようにすることは必須である。
【００６１】
次に、図４を参照して、粘着トラップを説明する。なお図４は粘着トラップを示し、図４Ａは粘着トラップの斜視図、図４Ｂは図４Ａの粘着トラップの変形例の斜視図である。
【００６２】
粘着トラップ１７は、図５Ａに示したように、透明材シートの外表面に粘着性材料１９が塗布された粘着シート１８の両側端縁が結合されて筒状に形成されている。この結合は両側端縁を粘着性材料１９の粘着を利用して貼り合せて行う。この粘着トラップ１７は、透明材シートを使用するので、コストを低減できる。すなわち、一般に、透明材シートは、着色材シートに比べて入手が簡単で安価であるからである。この粘着トラップ１７は、使用前は粘着シート１８の粘着性材料１９が塗布された面に剥離シート２１が貼られている。
【００６３】
粘着トラップ１７は、上下端が開放されて筒状となっており、その全長は、筒状支持体１１の筒状部１２の高さと同じ長さか、それより短長になっている。この長さによって、粘着トラップ１７を筒状支持体１１の筒状部１２に被せた際に、短長の場合は、粘着トラップ１７の下端が筒状支持体１１の鍔部１６１上に載っているときに筒状部１２の上端がこれで被われずに露出され、粘着トラップ１７を引き上げ、ストッパー部１２ｂに留めたとき、この露出部分が無くなり、また、同じ長さの場合は、露出部分が無いことになる。粘着トラップ１７を筒状支持体１１の筒状部１２で上下動させることによって、粘着トラップに万遍なく飛翔性害虫を捕獲できるようになり、粘着トラップの有効利用が図られて無駄を無くすることができる。
【００６４】
粘着トラップ１７Ａは、図４Ａに示したように、外表面に粘着性材料１９が塗布された透明の粘着シート１８の両側端縁が連結片２０で結合されて筒状に形成されたものである。
連結片２０には、ミシン目２０ａが設けられている。このミシン目により、ミシン目の間のタブ２０ｂを摘まんで下方へ引き下げることによって、連結片２０が引裂かれて筒状支持体１１から取り外すことができる。連結片２０に設けたミシン目２０ａは引き裂き手段となっているが、この手段はミシン目に限定されるものでなく、他の手段例えばスリットなどでもよい。これにより、粘着性材料１９に手が触れることなく、連結片２０の切り離し作業を容易に行うことができる。
【００６５】
これらの粘着トラップ１７、１７Ａは、通常、嵩張らないようにするために折り畳まれた状態で運搬され、販売される。
【００６６】
このような構成の筒状の粘着トラップ１７を、中心部で開いて図２に示した筒状支持体１１の筒状部１２に被せると、図１に示した飛翔性害虫捕獲装置１０が完成される。
【００６７】
次に、図１、２を参照して、飛翔性害虫捕獲装置１０の使用方法を説明する。まず、飛翔性害虫捕獲装置１０を牛舎などへ持ち運び、筒状支持体１１を組立てる。組立てた筒状支持体１１は、その直立した筒状部１２に、弾性突起片１２ａを押し倒して、粘着トラップ１７を上方から被せる。この筒状部に沿って引き下げて、粘着トラップ１７の下端を鍔部１４ａに当接させて、位置決め固定して、地面に設置する。これにより、粘着トラップ１７の内面が筒状支持体１１の筒状部１２の外周囲に密接される。なお、図１の飛翔性害虫捕獲装置１０は粘着トラップ１７をストッパー部で位置決め固定した状態を示している。
【００６８】
次いで、粘着トラップ１７の剥離シート２１を剥離する。この剥離により、透明の粘着シート１８は、筒状部１２の色を透過させたものとなり、この状態で使用を開始する。この開始に伴い、飛翔性害虫は粘着トラップ１７の粘着シート１８に誘引されて捕獲される。しかし、この捕獲量は、粘着トラップの粘着シート１８に均一に付着・捕獲されずに、粘着シート１８の粘着エリアによって、違った量となる。例えば、サシバエの場合、概ね、直立した筒状部１２の上方部分の粘着シート１８に多く、筒状部１２の根元部分の少なく、上方部に比べて極めて疎らになる。このまま使用を継続しても傾向は変わらない。
【００６９】
そこで、この使用中に、この捕獲量を監視して、根元部分の捕獲量が上方部に比べて少ない場合は、粘着トラップ１７を直立した筒状部１２に沿って上方へ引き上げて、粘着トラップ１７の下端をストッパー部１２ｆ、１２ｇで位置決め固定して、使用を継続する（図１参照）。これにより、粘着トラップ１７の粘着シート１８には害虫が万遍なく付着・捕獲される。
【００７０】
使用後の粘着トラップ１７は、連結片２０のタブ２０ｂを下方に引っ張ることにより、粘着シート１８が連結片２０の中央部から開かれて、筒状支持体１１の筒状部１２から取り外し、廃棄する。その後、新たな粘着トラップ１７を筒状支持体１１の筒状部１２に被せることにより、再度飛翔性害虫捕獲装置１０を組み立てることができる。このとき、筒状支持体１１は再利用ができるので、飛翔性害虫捕獲装置１０の作製費用を減らすことができる。なお、新たな粘着トラップ１７は、筒状部１２内に保管しておくことができ、交換の際は、蓋部１３を開いて取り出し使用すればよい。
【００７１】
この飛翔性害虫捕獲装置１０によれば、粘着トラップ１７は筒状支持体１１の鍔部１４ａ又はストッパー部１２ｆ、１２ｇのいずれかで位置決め固定できるので、使用中に粘着トラップへの飛翔性害虫の捕獲状況を監視し、その状況に応じて粘着トラップを筒状支持体で下動させて鍔部又はストッパー部のいずれかの位置決め固定することにより、粘着トラップに万遍なく飛翔性害虫を捕獲できるようになり、粘着トラップの有効利用が図られて無駄を無くすることができる。
【００７２】
［実施形態２］
次に、図５〜図８を参照して、本発明の実施形態２に係る飛翔性害虫捕獲装置を説明する。なお、図５は本発明の実施形態２に係る飛翔性害虫捕獲装置の斜視図である。図６は図５の飛翔性害虫捕獲装置を構成する筒状支持体の斜視図である。図７は図５の筒状支持体の分解展開図である。また、図８は図５の筒状支持体を構成するベース盤の平面図である。
【００７３】
実施形態２に係る飛翔性害虫捕獲装置１０Ａは、筒状の粘着トラップ１７と、この粘着トラップを外周囲で支持する筒状支持体２２と、を有している。粘着トラップ１７は、外表面に粘着性材料が塗布された透明の粘着シートの両側端縁が結合されて筒状に形成されたものからなる。筒状支持体２２は、外表面が光吸収性の高い色に着色され、湾曲性及び復元性を有する弾性シート材２２Ａ（図７参照）が渦巻き状に巻回されたものからなる。この筒状支持体２２に、粘着トラップ１７が被せられて、外表面の光吸収性の高い色が透明の粘着シート１８（図１参照）から透過されて、該光吸収性の高い色によって害虫が誘引され捕獲される構成となっている。
【００７４】
この実施形態２に係る飛翔性害虫捕獲装置１０Ａは、実施形態１に係る飛翔性害虫捕獲装置１０と同じ粘着トラップ１７（１７Ａ）を用いているが、筒状支持体２２の構成が異なったものとなっている。筒状支持体２２は、図６に示したように、所定の太さ及び高さの巻き込み筒状体２１Ａと、この巻き込み筒体２１Ａを立設させるベース盤２４とで構成されている。
【００７５】
巻き込み筒状体２１Ａは、図６に示したように、湾曲性及び復元性を有する弾性シート材２２Ａを略矩形状に切り抜き、略渦巻き状に巻き込んで形成されている。この湾曲性及び復元性を有する弾性シート材は、例えばプラスチック製シート、ダンボール紙ない肉厚の画用紙が用いられる。
【００７６】
弾性シート材２２Ａは、図７に示したように、所定長さの上端辺２２ａ及び下底辺２２ｂ並びに右側辺２２ｃ、左側変２２ｄを有し、外表面２２０が光吸収性の高い色、例えば黒色などに着色されている。右側辺２２ｃ、左側変２２ｄの長さは、巻き込み筒状体２１Ａの高さとなり、これは実施形態１の筒状部１２の高さと同じである。
【００７７】
上端辺２２ａ及び下底辺２２ｂのうち、上端辺２２ａには辺縁から所定深さ切り込んだ複数の切込み部２２４、下底辺２２ｂには、辺縁から下方へ突出した複数の所定長さの脚支持片２１１〜２２３が形成されている。また、この弾性シート材２２Ａは、下底辺２２ｂから上辺２２ａへ向かった高い箇所に複数のストッパー部２３ａが形成されている。これらのストッパー部２３ａは、巻き込み筒体２１Ａの外周囲を一部切り起した舌片で形成されている。なお、ストッパー部２３ａはこの位置からさらに高い位置にも設けてもよい。これにより、粘着トラップ１７（１７Ａ）は段階的に位置決め固定が可能になる。
【００７８】
ベース盤２４は、図８に示したように、巻き込み筒状体２１Ａの直径より大きい径を有した略八角形状をなし、比較的肉厚のシート材、例えばプラスチック製シート、ダンボール紙ない肉厚画用紙などで形成されている。このベース盤２４は、略中央付近に、弾性シート材２２Ａの各脚支持片２１１〜２２３が差し込まれるスリット２４１〜２４３が形成されている。
【００７９】
筒状支持体２２の組立は、まず、弾性シート材２２Ａを一方の左側辺２２ｄから着色した面が外側になるようにして、他方の右側辺２２ｃに向って、シートの弾性力（元の平坦に戻ろうとする力）に抗して渦巻き状に巻き込む。この巻き込みにより、シートの弾性力により、巻き込みが解けるようになるが、強制的に巻き込むことによって、ある程度解けた状態になるが渦巻き状が維持される。この渦巻き状にしたものの各脚支持片２１１〜２２３を、ベース盤２４のスリット２４１〜２４３にそれぞれ差込む。これにより、各脚支持片２１１〜２２３はシート材の右側辺２２ｄ側へ寄っているので、渦巻き状の弾性シート材２２Ａは一方の右側辺２２ｄ側がベース盤２４にしっかり固定され、他方の左側辺２２ｃ側が自由端となって、直径が筒状の粘着トラップ１７の直径より大きくなった渦巻き体が形成されて、筒状支持体２２の組立を終了する（図６参照）。
【００８０】
飛翔性害虫捕獲装置１０Ａの使用は、組立てた筒状支持体２２に粘着トラップ１７（１７Ａ）を上方から被せる。このとき、筒状支持体２２は渦巻き状になっているので、直径を縮小して、粘着トラップ１７（１７Ａ）を被せる。被せた後は、この渦巻き部分が元に戻るので、粘着トラップ１７の内面を筒状支持体２２の外周囲に密接される。実施形態２の飛翔性害虫捕獲装置１０Ａの使用形態は、実施形態１の飛翔性害虫捕獲装置１０と同じであるが、これと比べて、筒状支持体２２を簡単になるので、コストをさらに低減できる。
【００８１】
［実施形態３］
次に、図９〜図１２を参照して、本発明の実施形態２に係る飛翔性害虫捕獲装置を説明する。なお、図９は本発明の実施形態３に係る飛翔性害虫捕獲装置を構成する筒状支持体の分解展開図である。図１０は実施形態３、比較例１及び比較例２の飛翔性害虫捕獲装置を用いて飛翔性害虫の捕獲実験を行った状態を示す図である。図１１は実施形態３の飛翔性害虫捕獲装置を用いた場合の飛翔性害虫の捕獲状態を示す図である。図１２は比較例１の飛翔性害虫捕獲装置を用いた場合の飛翔性害虫の捕獲状態を示す図である。
【００８２】
実施形態３に係る飛翔性害虫捕獲装置１０Ｂ（図１０参照）は、弾性シート材２２Ｂの構成が相違する以外は実質的に実施形態２に係る飛翔性害虫捕獲装置１０Ａと同様の構成を備えている。そのため、実施形態３の飛翔性害虫捕獲装置１０Ｂにおいては、実施形態２の飛翔性害虫捕獲装置１０Ｂと同様の構成部分には同様の参照符号を付与してその詳細な説明は省略する。
【００８３】
実施形態３の飛翔性害虫捕獲装置１０Ｂで用いた弾性シート材２２Ｂは、図９に示したように、外表面２２０の主要部分が光吸収性の高い色に着色された部分Ｂとなっており、この光吸収性の高い色に着色された部分Ｂ内に斑点状に光吸収性の低い色に着色された部分Ｗが形成されている。この光吸収性の低い色に着色された部分Ｗは、例えば白色又は薄い灰色を採用することができ、その形成状態としては、斑点状だけでなく、縞模様状又は網目状に形成してもよい。さらには、光吸収性の高い色に着色された部分Ｂと光吸収性の低い色に着色された部分Ｗとは境目がぼかされた状態となっていてもよい。
【００８４】
ここで、光吸収性の高い色として黒色、光吸収性の低い色として白色を採用し、弾性シート材２２Ｂの外表面２２０における光吸収性の低い色に着色された部分Ｗの占める割合が、面積比で約２５％となるようにした弾性シート材２２Ｂを用い、実施形態３の飛翔性害虫捕獲装置１０Ｂ（図１０参照）を作成した。なお、弾性シート材２２Ｂの外表面２２０の比較の基準となる面積は、複数のストッパー部２３ａよりも上方の粘着トラップ１７（１７Ａ）（図５参照）で被覆される部分（図９の上下の点線Ｓ１及びＳ２で挟まれた部分）の面積を示している。
【００８５】
そして、実施形態３に係る飛翔性害虫捕獲装置１０Ｂと、弾性シートの外表面全体を黒色に着色した実施形態２の飛翔性害虫捕獲装置１０Ａと、弾性シートの外表面全体を白色に着色した比較例の飛翔性害虫捕獲装置１０Ｃとを用いて、牛舎にて実際に飛翔性害虫としてのサシバエの捕獲実験を行った。なお、それぞれの飛翔性害虫捕獲装置１０Ａ〜１０Ｃの構成は、弾性シートの着色状態を除いて全て同一構成かつ同一サイズとしてあり、組立てた筒状支持体の直径は１５ｃｍ、高さ３５ｃｍのものを使用した。また、サシバエの捕獲実験は、それぞれの飛翔性害虫捕獲装置１０Ａ〜１０Ｃを、それぞれ実験日１においては丸２日（４８時間）、実験例２及び３においては丸１日（２４時間）放置し、予め定めた所定面積（５ｃｍ×５ｃｍ）内に捕獲されたサシバエの個体数を測定することにより行った。なお、捕獲されたサシバエの個体数は、天気、気温、風の方向及び強度、飛翔性害虫捕獲装置の設置場所等によって大きくばらつくが、この捕獲実験の状態を図１０に示した。
【００８６】
測定結果は、実施形態３の飛翔性害虫捕獲装置１０Ｂにおいては、白色部分α、白色部分αに近い黒色部分β及び白色部分αから離れた黒色部分γにおいて、それぞれ所定面積内に捕獲されたサシバエの個体数を測定した。また、実施形態２の飛翔性害虫捕獲装置１０Ａ及び比較例の飛翔性害虫捕獲装置１０Ｃにおいては、高さ方向の中間部において、同じく所定面積内に捕獲されたサシバエの個体数を測定した。ただし、比較例の飛翔性害虫捕獲装置１０Ｃを用いた捕獲試験は、実験日３においてのみ行った。それぞれの測定結果を、表１においては実験例３における捕獲された全サシバエ数の指標を得る目的でそれぞれの実験日毎に実験例３のα点、β点及びγ点を合わせた平均値とともに、表２においてはα点、β点及びγ点のそれぞれの捕獲された全サシバエ数の指標を得る目的で実験例３の実験日１〜３におけるα点、β点及びγ点のそれぞれの平均値とともに、纏めて示した。
【００８７】
【表１】
0006699970.tif 000002
【００８８】
【表２】
0006699970.tif 000003
【００８９】
表１及び表２に示した結果から以下のことが分かる。すなわち、比較例と実施形態３及び実施形態２の捕獲試験結果から、少なくとも弾性シートに光吸収性の高い色に着色されている部分を有する実施形態３及び実施形態２の方が、全体が光吸収性の低い色に着色されている比較例よりも多くのサシバエが捕獲されている。
【００９０】
また、実施形態３の白色部分α、白色部分αに近い黒色部分β及び白色部分αから離れた黒色部分γ間で比較すると、平均的には白色部分αの方が黒色部分β及び黒色部分γよりも多くのサシバエを捕獲できていることが分かる。しかも、黒色部分βと黒色部分γとで対比すると、白色部分αに近い黒色部分βの方が白色部分αから離れた黒色部分γよりも多くのサシバエを捕獲できている。
【００９１】
これらの結果を総合的に勘案すると、次のことがいえる。
（１）全体が一色に着色されている場合、光吸収性の高い色に着色されているものの方が光吸収性の低い色に着色されているものよりも多くのサシバエを捕獲することができる。
（２）光吸収性の高い色に着色されている部分内に斑点状に光吸収性の低い色に着色されている部分が形成されている場合、光吸収性の高い色に着色されている部分よりも光吸収性の低い色に着色されている部分の方がより多くのサシバエを捕獲することができる。
（３）光吸収性の高い色に着色されている部分内に斑点状に光吸収性の低い色に着色されている部分が形成されている場合、光吸収性の高い色に着色されている部分のサシバエの捕獲状態は、光吸収性の低い色に着色されている部分の近傍の方が光吸収性の低い色に着色されている部分から離間している方よりもより多くのサシバエを捕獲することができる。
【００９２】
これらの点において、特に（２）及び（３）の点は、従来技術からすると、上記（１）の点からしても明らかなように、光吸収性の高い色に着色されている部分の方が光吸収性の低い色に着色されている部分よりも多くのサシバエを捕獲すると予測されるため、従来技術からは全く予測し得なかった事項である。このことは、サシバエ等の飛翔性害虫の立場からすると、実施形態３の飛翔性害虫捕獲装置１０Ｂの方が、一色で着色されている実施形態２及び比較例の飛翔性害虫捕獲装置の場合よりも見た目がより家畜に似ていると判断されるため、より多くの飛翔性害虫を捕獲することができるようになったものと推定される。
【００９３】
なお、実施形態３の飛翔性害虫捕獲装置１０Ｂにおいては、弾性シート材２２Ｂとして光吸収性の高い色に着色された部分Ｂ内に斑点状に光吸収性の低い色に着色された部分Ｗが形成されているものを用いた例を示したが、上記（２）の点からして光吸収性の高い色に着色された部分Ｂと光吸収性の低い色に着色された部分Ｗとが適宜に分散した状態となっていれば同様の作用効果を奏すると考えられるので、光吸収性の高い色の中に光吸収性の低い色が縞模様状又は網目状に色分けして形成されている場合も同様の作用効果を奏するものと考えられる。
【００９４】
また、実施形態３の飛翔性害虫捕獲装置１０Ｂにおいては、弾性シート材２２Ｂとして光吸収性の高い色に着色された部分Ｂ内に斑点状に光吸収性の低い色に着色された部分Ｗが明確に色分けして形成されているものを用いた例を示したが、上記（３）の点からして色分け部分の境目がぼかされた状態に着色されている場合も同様の作用効果を奏するものと考えられる。さらに、実施形態３の飛翔性害虫捕獲装置１０Ｂにおいては、光吸収性の高い色として黒色、光吸収性の低い色として白色の例を示したが、光吸収性の高い色が濃紺色、紺色、深緑色、濃茶色、茶色又は暗灰色であっても、あるいは、これらの色と黒色を含めたいずれかの組み合わせであっても、さらには、光吸収性の低い色が灰色であっても、実質的に同様の作用効果を奏するものと考えられる。
【００９５】
なお、実施形態３の飛翔性害虫捕獲装置１０Ｂにおいては、弾性シート材２２Ｂの外表面２２０における光吸収性の低い色に着色された部分Ｗの占める割合が、面積比で約２５％となるようにしたものを用いた例を示した。しかしながら、光吸収性の低い色に着色された部分Ｗの占める割合が小さくなると全体が光吸収性の高い色に着色されたものと同様の作用効果に近づき、光吸収性の低い色に着色された部分Ｗの占める割合が大きくなると全体が光吸収性の低い色に着色されたものと同様の作用効果に近づく。そこで、上記（２）及び（３）の点を考慮すると、光吸収性の低い色に着色された部分Ｗの占める割合が大きい場合（光吸収性の高い色に着色されている部分の面積が小さい場合）において光吸収性の低い色に着色された部分Ｗの占める割合が増加することによるサシバエの捕獲効率の低下割合は、光吸収性の低い色に着色された部分Ｗの占める割合が小さい場合（光吸収性の高い色に着色されている部分の面積が大きい場合）において光吸収性の低い色に着色された部分Ｗの占める割合が小さくなることによるサシバエの捕獲効率の低下割合よりも大きくなる。
【００９６】
したがって、実施形態３の飛翔性害虫捕獲装置１０Ｂにおいては、弾性シート材２２Ｂの外表面２２０における光吸収性の低い色に着色された部分Ｗの占める割合（面積比）には最適な範囲が存在し、各種予備実験を踏まえた結果によれば約１０〜５０％で良好な捕獲効率が得られ、約２５％程度で最も良好な捕獲効率が得られる。すなわち、弾性シート材２２Ｂの外表面２２０における光吸収性の低い色に着色された部分Ｗの占める割合（面積比）が１０％未満となると光吸収性の低い色の占める割合が小さすぎて光吸収性の高い色に対して光吸収性の低い色を組み合わせたことの効果が小さくなり、また、光吸収性の低い色の占める割合が面積比で５０％を越えると光吸収性の低い色の占める割合が大きすぎて光吸収性の高い色を用いることの効果が小さくなり、いずれの場合もサシバエ等の飛翔性害虫の捕獲効率が低下することとなる。
【００９７】
なお、実施形態１の飛翔性害虫捕獲装置１０に対しては、上述のサシバエの捕獲実験を行った結果を示していないが、当業者であれば実施形態３の飛翔性害虫捕獲装置１０Ｂの場合と同様の作用効果が奏されることは自明であろう。また、光吸収性の高い色に着色された表面は、光沢を有さない光散乱性表面とすると、見た目をより家畜に似させることができるので、飛翔性害虫の捕獲効率が向上する。このような光沢を有さない光散乱性表面は、例えば外表面を半つや以下（つや度が低い）のつや消し塗装によって着色することにより容易に得ることができる。
【符号の説明】
【００９８】
１０、１０Ａ〜１０Ｃ    飛翔性害虫捕獲装置
１１，２２、２２Ａ、２２Ｂ    筒状支持体
１１Ａ            シート材
１２                筒状部
１２ａ            弾性突起片
１２ｂ、２３ｂ        ストッパー部
１６                底部
１６１                鍔部
１７、１７Ａ            粘着トラップ
１８                粘着シート
１９                粘着性材料
２０                連結片
２０ａ            ミシン目
２１                剥離シート
２１Ａ            巻き込み筒状体
２２Ａ、２２Ｂ        弾性シート材
２４                ベース盤
【図１】
0006699970.tif 000004
【図２】
0006699970.tif 000005
【図３】
0006699970.tif 000006
【図４】
0006699970.tif 000007
【図５】
0006699970.tif 000008
【図６】
0006699970.tif 000009
【図７】
0006699970.tif 000010
【図８】
0006699970.tif 000011
【図９】
0006699970.tif 000012
【図１０】
0006699970.tif 000013
【図１１】
0006699970.tif 000014
【図１２】
0006699970.tif 000015